(57)【要約】  【課題】防水布としての機能を満足させながら、装着時におけるムレや熱のこもりを無くし、装着感の向上等を図った生理用ショーツを提供する。  【解決手段】前身頃２、後身頃３及びこれら両者間を繋ぐ股下部４とからなり、吸収性物品が固定されて着用される生理用ショーツ１において、防水布を必要な部分にのみ配設し防水布の配設面積を最小化する。具体的には、前記股下部４において、両側部に防水布５Ａ、５Ｂを配設し股下中間部から防水布を無くすとともに、前記後身頃３において、股下部４に配設された両側の防水布５Ａ、５Ｂから連続するようにＶ字状又はＹ字状を成す防水布５Ｃを配設する。【選択図】図２
2005270514.tif 000002
【特許請求の範囲】
【請求項１】
前身頃、後身頃及びこれら両者間を繋ぐ股下部とからなり、吸収性物品が固定されて着用される生理用ショーツにおいて、
前記股下部において、両側部に防水布を配設し股下中間部から防水布を無くしたことを特徴とする生理用ショーツ。
【請求項２】
前記後身頃において、股下部に配設された両側の防水布から連続するようにＶ字状又はＹ字状に防水布を配設してある請求項１記載の生理用ショーツ。
【請求項３】
前記前身頃において、股下部に配設された両側の防水布から連続するようにＶ字状又はＹ字状に防水布を配設してある請求項１、２いずれかに記載の生理用ショーツ。
【請求項４】
前記股下部において、防水布の非配設領域の幅は３０mm以下であり、かつ両側部に配設された防水布の幅が少なくとも１０mm以上である請求項１〜３いずれかに記載の生理用ショーツ。
【請求項５】
前記防水布として、ショーツ素材よりも伸長時応力の大きい布帛を使用する請求項１〜４いずれかに記載の生理用ショーツ。
【発明の詳細な説明】
【技術分野】
【０００１】
本発明は、生理用ナプキンやパンティライナなどの吸収性物品が固定されて着用される生理用ショーツに係り、特にムレを無くし装着感の向上を図った生理用ショーツに関する。
【背景技術】
【０００２】
従来より、生理用ナプキンやパンティライナなどの吸収性物品が固定されて着用される生理用ショーツが提案されている。この生理用ショーツが通常のショーツと異なるのは、付着した体液の汚れを落とし易いように、内面側にクロッチからヒップ側にかけて防水布が配設されている点である。
【０００３】
前記防水布は、下記特許文献１に記載されるように、股下部分にのみ配設した生理用ショーツと、図４に示されるように、防水布５０を股下部から後身頃のほぼ全体を覆うように配設した生理用ショーツとがある。
【特許文献１】特開２００３−１７１８０２号公報
【発明の開示】
【発明が解決しようとする課題】
【０００４】
しかしながら、前記防水布を配設して不透液性とすることにより、体液を外部に漏らさないようにすることができるけれども、一方で前記防水布によって湿気や熱をショーツ内に滞らせてしまい、ムレが生じ、不快感が増すようになるなどの問題があった。
【０００５】
近年はムレを抑えるように透湿性の防水布なども提供されているが、透湿性が小さく根本的な解決策とはなっていない。
【０００６】
そこで本発明の主たる課題は、防水布としての機能を満足させながら、装着時におけるムレや熱のこもりを無くし、装着感の向上等を図った生理用ショーツを提供することにある。
【課題を解決するための手段】
【０００７】
前記課題を解決するために請求項１に係る本発明として、前身頃、後身頃及びこれら両者間を繋ぐ股下部とからなり、吸収性物品が固定されて着用される生理用ショーツにおいて、
前記股下部において、両側部に防水布を配設し股下中間部から防水布を無くしたことを特徴とする生理用ショーツが提供される。
【０００８】
請求項２に係る本発明として、前記後身頃において、股下部に配設された両側の防水布から連続するようにＶ字状又はＹ字状に防水布を配設してある請求項１記載の生理用ショーツが提供される。
【０００９】
請求項３に係る本発明として、前記前身頃において、股下部に配設された両側の防水布から連続するようにＶ字状又はＹ字状に防水布を配設してある請求項１、２いずれかに記載の生理用ショーツが提供される。
【００１０】
請求項４に係る本発明として、前記股下部において、防水布の非配設領域の幅は３０mm以下であり、かつ両側部に配設された防水布の幅が少なくとも１０mm以上である請求項１〜３いずれかに記載の生理用ショーツが提供される。
【００１１】
請求項５に係る本発明として、前記防水布として、ショーツ素材よりも伸長時応力の大きい布帛を使用する請求項１〜４いずれかに記載の生理用ショーツが提供される。
【発明の効果】
【００１２】
以上詳説のとおり本発明によれば、防水布を必要な部分にのみ配設するようにしたため、防水布としての機能を満足させながら、装着時のムレを無くすことができるとともに、伸縮性が無いか少ない防水布の配設面積を最小化したことにより、ショーツの伸縮性が高まるため、ナプキンがより体にフィットするようになり装着感が高まるようになる。また同時にフィット性が向上することにより、漏れが防止されるようになるとともに、防水布によるガサツキ感が無くなる。さらに、前記防水布として、ショーツ素材よりも伸長時応力の大きい布帛を使用した場合には、ヒップアップ効果や体型補正効果を持たせることが可能となる。
【発明を実施するための最良の形態】
【００１３】
以下、本発明の実施の形態について図面を参照しながら詳述する。
図１は本発明に係る生理用ショーツ１の斜視図であり、図２はその展開図である。
【００１４】
本生理用ショーツ１は、生理用ナプキンやパンティライナなどの吸収性物品が固定されて着用されるものであり、前身頃２、後身頃３及びこれら両者間を繋ぐ股下部４とからなるものである。これら前身頃２、後身頃３及び股下部４は、綿布のように肌触り感及び通気性が良好で、かつエラストマー繊維を含み、縦及び横方向にある程度の伸縮性が付与された素材を使用するのが望ましい。
【００１５】
本生理用ショーツ１の場合には、特に防水布５を必要な部分にのみ配設し、防水布の配設面積を最小化するようにしている。
【００１６】
具体的には図２に示されるように、前記股下部４においては、両側部に防水布５Ａ、５Ｂを配設し、股下中間部から防水布を無くすようにし、かつ後身頃３においては、前記股下部４に配設された両側の防水布５Ａ、５Ｂから連続するようにＶ字状又はＹ字状（図示例ではＹ字状）を成す防水布５Ｃを配設するようにしている。なお、これら防水布５Ａ〜５Ｃは、本例では一体の布帛を用いたが、それぞれが分割した布帛とされ、ショーツ１に縫合することにより製品状態で連続した状態となるようにしてもよい。
【００１７】
前記防水布５は、前記前身頃２、後身頃３と同素材からなる外面布の内面側に重ねてその周囲を縫い合わせたものであり、非肌面側の面（隠れた内面側）に防水処理、例えばシリコン系、フッ素系の撥水剤を塗工することにより、或いはポリフッ化エチレン、ポリウレタン、ポリエチレン等の撥水性シートを積層することにより防水処理が成されている布帛であり、近年はポリエチレンアミノ酸ウレタン重合体、ポリウレタン重合体、ポリテトラフルオロエチレン重合体を布帛にコーティング又はラミネートした透湿性防水布なども提供されている。本生理用ショーツ１の防水布５としては、極力、ムレを無くす観点から透湿性を有するものが好適に使用される。
【００１８】
前記股下部４において、防水布５Ａ、５Ｂの間の非配設領域の幅Ｓは３０mm以下とし、かつ両側部に配設された防水布５Ａ、５Ｂの幅Ｂ１は少なくとも１０mm以上とするのが望ましい。通常のナプキンは、中央に集まるようにヨレた場合でも３０mm以下にはならないため、防水布５Ａ、５Ｂの非配設領域の幅Ｓは３０mm以下とするのが良い。また、サイド部分ではウイングフラップの有無に拘わらず、横漏れが発生し易い箇所であるため、脚開口縁から内側に少なくとも１０mm以上の幅とするのが望ましい。
【００１９】
また、前記後身頃３においては、特に汗をかきやすい部分であるため、夜用ナプキン（２９cm以上）でカバーできる部分については防水布を無くし、装着時のムレを無くすようにする。また、防水布の形状は、万が一、体液が漏れた場合を考慮して、ショーツ１の後端に向かうほど狭まるように、Ｖ字状又はＹ字状に配設している。
【００２０】
一方、前記前身頃２においては、前漏れの発生率が低いため、防水布を省略することも可能であるが、漏れ防止効果を高めるために防水布を配設するのが望ましい。この場合には、図３に示されるように、前記後見頃３と同様に、股下部４に配設された両側の防水布５Ａ、５Ｂから連続するようにＶ字状又はＹ字状（図示ではＶ字状）を成す防水布５Ｄを配設するのが望ましい。
【００２１】
ところで、前記防水布５として、ショーツ素材よりも伸長時応力の大きい布地を使用することにより、ヒップアップ効果や体型補正効果を持たせることが可能である。この場合には、前記防水布５による伸縮力が大きく作用するように、ある程度伸長させた状態でショーツ１に縫合するのが望ましい。
【００２２】
〔他の形態例〕
(1)図２に示される生理用ショーツ１では、股下部４及び後身頃３の両方に防水布を配設するようにしたが、股下部４にのみ、中間を避けて両側に防水布５Ａ、５Ｂを配設するようにしてもよい。
【図面の簡単な説明】
【００２３】
【図１】本発明に係る生理用ショーツ１の斜視図である。
【図２】その展開図である。
【図３】防水布６の配設パターンの変形例を示す生理用ショーツの展開図である。
【図４】従来の生理用ショーツの背面図である。
【符号の説明】
【００２４】
１…生理用ショーツ、２…前身頃、３…後身頃、４…股下部、５・５Ａ〜５Ｄ…防水布、Ｎ…ナプキン
【図１】
2005270514.tif 000003
【図２】
2005270514.tif 000004
【図３】
2005270514.tif 000005
【図４】
2005270514.tif 000006